(57)【特許請求の範囲】
【請求項１】
逆ガリレオ式ファインダーの対物レンズとして用いられ、直方体状をしたレンズ基部の像側の面に、球面状または非球面状のレンズ面を凹状に形成してなり、樹脂により射出成形されるファインダーレンズにおいて、
前記レンズ基部は、その前記像側の面の四方の角部が前記レンズ面の輪郭に沿って面取りされた形状に射出成形されることを特徴とするファインダーレンズ。
【発明の詳細な説明】
【０００１】
【発明の属する技術分野】
本発明は、逆ガリレオ式ファインダーの対物レンズの形状に関するものである。
【０００２】
【従来の技術】
低価格帯のカメラの多くには、逆ガリレオ式ファインダーが搭載されている。逆ガリレオ式ファインダーは、負の屈折力を有する対物レンズと、正の屈折力を有する接眼レンズとを同軸上に配置して構成され、対物レンズを介して得られた被写体の虚像を接眼レンズで拡大して確認するものである。この逆ガリレオ式ファインダーは、接眼レンズの拡大作用によってファインダー倍率を大きくすることができ、しかも簡単な構成でありながらも視野を広くすることができるという利点がある。
【０００３】
ところで、現在種々の写真フイルムが用いられているが、一般撮影用としては円筒状をしたパトローネ本体の内部にスプールを回動自在に設け、このスプールに３５ｍｍ幅の帯状の写真フイルムの終端部を固定して巻き付けた１３５タイプの写真フイルムパトローネが広く利用されている。また最近では、未使用状態では写真フイルムの全てをカートリッジ本体の内部に収納しておき、スプールの回転によって写真フイルムをカートリッジ本体外に送り出す機能をもった写真フイルムカートリッジが販売されている。この写真フイルムカートリッジは２４ｍｍ幅の写真フイルムを収納しており、従来の３５ｍｍ幅の写真フイルムに比較して画面サイズが小さく規定されているとともに、カートリッジ本体の大きさも小さくなっている。したがって、この写真フイルムカートリッジを使用するカメラにおいては、３５ｍｍ幅の写真フイルムを使用するものに比較して撮影レンズの焦点距離を短くすることができるため、カメラ全体の薄型化が可能となる。このような背景から、特に２４ｍｍ幅の写真フイルムを使用するカメラでは、ファインダーの薄型化が望まれている。
【０００４】
前述の逆ガリレオ式ファインダーにおいては、対物レンズの焦点距離をｆ１、接眼レンズの焦点距離をｆ２としたときに、ファインダー倍率βは、式
β  ＝  −ｆ１／ｆ２  ・・・・・（１）
で表される。また、レンズ系全体での厚さＤは、式
Ｄ  ＝  ｆ１＋ｆ２    ・・・・・（２）
により求めることができる。
【０００５】
上記の（１）式および（２）式より、
Ｄ  ＝  ｆ1 ×（１−１／β）  ・・・・・（３）
なる関係式を得ることができる。この関係式（３）より、ファインダー倍率βを変えることなく、レンズ系全体での厚さＤを薄くするためには、対物レンズの焦点距離ｆ１を短くすることが有効な方法であることがわかる。
【０００６】
図５は、逆ガリレオ式ファインダーに用いられる対物レンズの一般的な構成を示すものである。対物レンズ５は、横長な撮影画面と相似形をしたほぼ直方体状のレンズ基部６の像側の面６ａに、球面状のレンズ面７を凹状に形成してなり、樹脂により射出成形される。この対物レンズ５の焦点距離を短くするためには、レンズ面７の曲率を強くして屈折力を強くすればよい。
【０００７】
【発明が解決しようとする課題】
ところが図６に示すように、レンズ面７の曲率を強くしながらも、同じ大きさの有効径Ｒe を得ようとすると、レンズ面７の周縁部の厚さＤP が増大して中心厚ＤC に対する比率が大きくなる。そして、横長に構成された対物レンズ５においては、レンズ面７の左右部の体積が増大し、長手方向における中央部と両側部との間で射出成形後の樹脂の収縮率に大きな差異を生じる。このため、対物レンズ５は、射出成形後に長手方向が撓みやすく、レンズ面７の面精度を高度に維持することが困難である。
【０００８】
このような問題を解決するために、対物レンズの中心厚ＤC を厚くし、中心厚ＤC と周縁部の厚さＤP との比率を「１」に近づけるとともに、レンズ基部の縦横比を「１」に近づける方法が考えられる。ところが、中心厚ＤC を厚くすると対物レンズの成形時間が長くなってしまい、成形性の低下を招く。また、レンズ基部の縦横比を「１」に近づけるためには、縦方向の長さを延ばすか、あるいは横方向の長さを短くすることになるが、前者の方法では、レンズ面の上下に不要な厚肉部が形成されてファインダーの大型化を招く。また後者の方法では、ファインダーを覗いた際に、対物レンズの周面で反射した光がファインダー視野内に入り込み、被写体像を観察しづらくなるという問題が生じる。
【０００９】
本発明は上記の事情を考慮してなされたもので、焦点距離を短くしながらも、射出成形後の樹脂の収縮によるレンズ面形状の劣化を抑えたファインダーレンズを提供することを目的とする。
【００１０】
【課題を解決するための手段】
上記目的を達成するために、本発明では、逆ガリレオ式ファインダーの対物レンズとして用いられ、直方体状をしたレンズ基部の像側の面に、球面状または非球面状のレンズ面を凹状に形成してなり、樹脂により射出成形されるファインダーレンズにおいて、前記レンズ基部は、その前記像側の面の四方の角部が前記レンズ面の輪郭に沿って面取りされた形状に射出成形されることを特徴とする。
【００１１】
【発明の実施の形態】
図４は、本発明を実施した逆ガリレオ式ファインダーの構成を示すものである。逆ガリレオ式のファインダー１０は、物体側より順に、負の屈折力を有する対物レンズ１１と正の屈折力を有する接眼レンズ１２とを同軸上に配置して構成される。対物レンズ１１および接眼レンズ１２は、それぞれ樹脂により射出成形される。
【００１２】
図１に示すように、対物レンズ１１は、ほぼ直方体状をしたレンズ基部１５の像側の面１５ｂに球面状のレンズ面１６を凹状に形成した構成となっている。レンズ基部１５は、像側の面１５ｂの四方の角部１７ａ〜１７ｄがレンズ面１６の輪郭に沿って面取りされており、これにより傾斜した面取り面１８ａ〜１８ｄが形成されている。
【００１３】
【実施例】
図２および図３に示すように、対物レンズ１１は、レンズ基部１５の縦方向における長さＬT が９．５０ｍｍ、横方向における長さＬW が１７．００ｍｍに構成されている。この対物レンズ１１では、焦点距離が短くなるようにレンズ面１６の曲率が強く形成されており、曲率半径Ｒが６．００ｍｍ、レンズ面１６の中心厚ＤC が１．２５ｍｍ、対物レンズ１１の最大厚ＤP が３．８５ｍｍとなるように構成されている。また、レンズ基部１５の４箇所の角部１７ａ〜１７ｄは、それぞれ面１５ｂの縦方向における長さＬ１が２．４４ｍｍ、横方向における長さＬ２が１．７６ｍｍ、物体側の面１５ａ側への面取り深さＷが１．７３ｍｍの三角錐状に面取りされている。
【００１４】
ここで、レンズ面１６の中心厚ＤC に対する対物レンズ１１の最大厚ＤP の比率をＰとすると、この比率Ｐは、
0004084863.tif 000002
となり、非常に大きな値となっている。したがって、この対物レンズ１１は、射出成形後の樹脂の収縮率がレンズ面１６の中心部と周縁部との間で大きな差異を生じることになるので、この収縮差によって長手方向に撓んでしまい、レンズ面１６の形状が損なわれることが危惧される。
【００１５】
しかし、対物レンズ１１は、レンズ基部１５の４箇所の角部１７ａ〜１７ｄを面取りすることによってレンズ面１６の左右部の体積が削減されているので、長手方向における体積比は、上記比率Ｐに比較して小さくなっている。これにより対物レンズ１１は、射出成形後の樹脂の収縮差が小さくなり、その長手方向の撓みが抑えられる。また対物レンズ１１は、角部１７ａ〜１７ｄを面取りすることによって形成される面取り面１８ａ〜１８ｄが傾斜面となっているので、成形金型からの離型性も向上されている。これらにより、対物レンズ１１は、レンズ面１６の曲率を強くして焦点距離を短く構成しながらも、レンズ面１６の形状が良好な状態に維持される。
【００１６】
次に、本発明の実施品として１０個のレンズサンプル品Ｓ１〜Ｓ１０を射出成形し、それぞれについて樹脂の収縮による撓みの発生の有無を確認した。なお、レンズサンプル品Ｓ１〜Ｓ１０は、いずれも図１ないし図３に示した形状とした。また、４箇所の角部を面取りすることによるレンズ基部の体積の削減量Ｑは、
0004084863.tif 000003
である。
【００１７】
また比較のために、レンズ基部の角部に面取りを施さない５つの従来品サンプルｓ１〜ｓ５を射出成形し、これらについても撓みの発生の有無を確認した。なお、従来品サンプルｓ１〜ｓ５はいずれも、レンズ面の曲率半径Ｒ，レンズ面の中心厚ＤC ，レンズ基部の最大厚ＤP を、それぞれレンズサンプル品Ｓ１〜Ｓ１０と同じく６．００ｍｍ，１．２５ｍｍ，３．８５ｍｍとした。
【００１８】
射出成形品の形状確認を行ったところ、従来品サンプルｓ１〜ｓ５では、いずれも長手方向に撓みが発生しており、レンズ面の形状にバラツキが生じていた。これに対して本発明の実施品であるレンズサンプル品Ｓ１〜Ｓ１０においては、いずれも撓みの発生は認められず、レンズ面の形状が均一であった。これにより本発明のファインダーレンズは、レンズ面の曲率を強くしながらも、射出成形後の樹脂の収縮による撓みの発生を抑え、レンズ面の形状を良好な状態に維持できることが確認された。
【００１９】
【発明の効果】
以上のように、本発明のファインダーレンズによれば、レンズ基部の像側の面の四方の角部をレンズ面の輪郭に沿って面取りされた形状に射出成形したので、レンズ面の周縁部の体積が削減され、ファインダーレンズの中央部と周縁部との体積比が小さくなる。これにより、射出成形後の樹脂の収縮差が小さくなり、ファインダーレンズの長手方向の撓みが抑えられる。また、角部を面取りすることによって形成される面取り面は傾斜面になるので、このファインダーレンズは、成形金型からの離型性が向上される。これらにより、本発明のファインダーレンズによれば、レンズ面の曲率を強くして焦点距離を短く構成しながらも、レンズ面の形状を良好な状態に維持することができる。
【図面の簡単な説明】
【図１】本発明を実施した対物レンズの形状を示す斜視図である。
【図２】図１に示した対物レンズの像側の面から示した正面図である。
【図３】図１に示した対物レンズの上面図である。
【図４】逆ガリレオ式ファインダーの構成を示す概略図である。
【図５】従来の対物レンズの形状を示す斜視図である。
【図６】図５に示した対物レンズの断面図である。
【符号の説明】
１０  逆ガリレオ式ファインダー
５，１１  対物レンズ
１２  接眼レンズ
６，１５  レンズ基部
７，１６  レンズ面
１７ａ〜１７ｄ  角部
１８ａ〜１８ｄ  面取り面
【図１】
0004084863.tif 000004
【図２】
0004084863.tif 000005
【図３】
0004084863.tif 000006
【図４】
0004084863.tif 000007
【図５】
0004084863.tif 000008
【図６】
0004084863.tif 000009